(57)【要約】【課題】より使い勝手のよいランドリー機器を提供する。【解決手段】乾燥時に外槽内に供給された温風が当該外槽から排気される排気風路内（たとえば、導出管６４と誘導風路部材６６との結合部）にリントフィルタ６７を設ける。所定のタイミング（運転終了時や電源オン時など）で、リントノズル６８によりリントフィルタ６７に対して排気の流通方向（下方から上方）の下流側（上方）から水を吹きつけることによって、リントフィルタ６８により捕獲された（リントフィルタ６８に付着した）リントを洗い流す。【効果】リントフィルタを取り外して清掃する手間が省ける。【選択図】            図３．
2004261324.tif 000002
【特許請求の範囲】
【請求項１】
衣類を収容するための槽内に温風を供給して、その槽内に収容された衣類を乾燥させる機能を有するランドリー機器であって、
上記槽内からの排気が流通する排気風路と、
上記排気風路内に設けられ、上記排気風路を流通する排気中のリントを捕獲するリントフィルタと、
上記リントフィルタに対して、上記排気風路における排気の流通方向の下流側から液体を吹きつけることにより、上記リントフィルタで捕獲されたリントを液体で洗い流すためのリントフィルタ清掃手段と
を含むことを特徴とするランドリー機器。
【請求項２】
上記リントフィルタ清掃手段により上記リントフィルタに対して液体を吹きつける動作を所定のタイミングで実行する制御手段をさらに含むことを特徴とする請求項１記載のランドリー機器。
【請求項３】
上記排気風路は、その下流端が機外に開放された開放型の排気風路であることを特徴とする請求項１または２記載のランドリー機器。
【請求項４】
上記排気風路は、下方から上方へと延びる風路を備え、
上記リントフィルタ清掃手段は、上記リントフィルタに対して流通方向下流側である上方から液体を吹きつけるものであることを特徴とする請求項１〜３のいずれかに記載のランドリー機器。
【請求項５】
上記ランドリー機器は、上記槽内に液体を貯めて衣類の洗濯を行う機能を有しており、
上記槽内から機外に排出される液体が流通する排出路と、
上記リントフィルタ清掃手段により上記リントフィルタに吹きつけられた液体を上記排出路に導くための導出路と、
上記排出路内を流れる液体が上記導出路に流れ込むのを防止するための逆流防止部材と
を含むことを特徴とする請求項１〜４のいずれかに記載のランドリー機器。
【請求項６】
上記逆流防止部材は、
回動軸に対して回動可能に取り付けられ、上記導出路から上記排出路への液体の流入口を開閉するための回動部材と、
上記流入口を閉じる方向に上記回動部材を付勢する付勢部材と、
上記流入口に沿った平面に対して交叉する方向に上記回動軸を移動可能に保持する保持部材と
を含むことを特徴とする請求項５記載のランドリー機器。
【請求項７】
貨幣の投入に基づいてランドリー運転を実行するランドリー機器であって、
投入された貨幣の合計金額を算出する投入金額算出手段と、
所定の運転コースの実行に必要な金額を超えて貨幣が投入されている場合に、その必要な金額を超えた金額分に応じた付加運転を上記所定のランドリー運転に追加して実行する運転実行手段と
を含むことを特徴とするランドリー機器。
【請求項８】
上記ランドリー機器は、運転実行に必要な金額が互いに異なる複数の運転コースを実行可能であって、
上記複数の運転コースの中から、投入された貨幣の合計金額によって実行可能な運転コースを自動的に選択する運転可能コース自動選択手段と、
上記運転可能コース自動選択手段によって自動選択された運転コースの中から、所望の運転コースの実行開始を指示するスタート指示手段とをさらに含み、
上記運転実行手段は、上記スタート指示手段によって実行開始が指示された運転コースの実行に必要な金額を超えて貨幣が投入されている場合に、その必要な金額を超えた金額分に応じた付加運転を上記実行開始が指示された運転コースに追加して実行するものであることを特徴とする請求項７記載のランドリー機器。
【請求項９】
上記ランドリー機器は、運転実行に必要な金額が互いに異なる複数の運転コースを実行可能であって、
上記複数の運転コースの中から、所望の運転コースを選択するためのコース選択手段をさらに含み、
上記運転実行手段は、上記コース選択手段によって選択された運転コースの実行に必要な金額を超えて貨幣が投入されている場合に、その必要な金額を超えた金額分に応じた付加運転を上記選択された運転コースに追加して実行するものであることを特徴とする請求項７記載のランドリー機器。
【請求項１０】
投入された貨幣の合計金額に応じた運転コースを自動的に選択するコース自動選択手段をさらに含み、
上記運転実行手段は、上記コース自動選択手段によって自動選択された運転コースの実行に必要な金額を超えて貨幣が投入されている場合に、その必要な金額を超えた金額分に応じた付加運転を上記自動選択された運転コースに追加して実行するものであることを特徴とする請求項７記載のランドリー機器。
【発明の詳細な説明】
【０００１】
【発明の属する技術分野】
この発明は、衣類に対して洗濯や乾燥などのランドリー運転を実行するランドリー機器に関する。
【０００２】
【従来の技術】
従来から、コインランドリーなどに設置され、貨幣の投入に基づいて洗濯や乾燥などのランドリー運転を実行する業務用の洗濯乾燥機が知られている（たとえば、特許文献１参照）。
この種の洗濯乾燥機は、たとえば、略円筒状のドラムと、このドラムの外側を取り囲む外槽を有しており、この外槽内に所定量の水を貯めた状態でドラムを回転させることにより、ドラム内の洗濯物をドラム内面に突設されたバッフルによって持ち上げ、ある程度の高さから水面に向けて自然落下させるといった動作（タンブリング）を繰り返し、いわゆるたたき洗いが行われるようになっている。また、洗濯後（脱水後）の衣類に対して、ドラムの回転によりタンブリングを行いつつ、外槽内に温風を供給することにより、衣類の乾燥が行われるようになっている。
【０００３】
上記のような洗濯乾燥機では、通常、ランドリー運転中（特に乾燥時）に衣類から糸くず（いわゆる、リント）が分離する。乾燥時に衣類から分離したリントは、たとえば、外槽内に供給された温風が当該外槽内から排出される際の排気とともに外槽から排出される。この種の洗濯乾燥機の中には、外槽内からの排気が流通する排気風路内にリントフィルタを設けて、当該リントフィルタによって排気中のリントを捕獲できるようになっているものがある（たとえば、特許文献２参照）。
【０００４】
リントフィルタは、たとえば、洗濯乾燥機に対して取り外し可能となっていて、コインランドリーの従業員などが定期的に（たとえば、毎日）リントフィルタを取り外して清掃することにより、リントフィルタによって捕獲された（リントフィルタに付着した）リントが除去される。
一方、コインランドリーなどに設置されるランドリー機器には、通常、貨幣を投入するための貨幣投入口が備えられている。使用者は、この貨幣投入口から所望の運転コースに応じた金額の貨幣を投入した後、当該ランドリー機器に設けられた操作パネルを操作して所望の運転コースを選択し、運転を開始させるためのスタートキーを操作することにより、その運転コースを実行させることができるようになっている。
【０００５】
【特許文献１】
特開平９−２９４８９８号公報
【特許文献２】
特開平５−４９７９５号公報
【０００６】
【発明が解決しようとする課題】
しかしながら、上記従来技術では、リントフィルタをわざわざ取り外して清掃しなければならないため、手間がかかる。したがって、リントフィルタの清掃にかかる手間が軽減された、より使い勝手のよいランドリー機器が望まれていた。
また、上記従来技術では、貨幣投入口から貨幣を投入した後、運転コースの選択操作やスタートキーの操作といった種々のキー操作を行う必要があり、手間がかかる。したがって、キー操作の手間が軽減された、より使い勝手のよいランドリー機器が望まれていた。
【０００７】
この発明は、かかる背景のもとでなされたもので、より使い勝手のよいランドリー機器を提供することを目的とする。
また、この発明の別の目的は、リントフィルタの清掃にかかる手間を軽減できるランドリー機器を提供することである。
この発明のさらに別の目的は、キー操作の手間を軽減できるランドリー機器を提供することである。
【０００８】
【課題を解決するための手段および発明の効果】
上記目的を達成するための請求項１記載の発明は、衣類を収容するための槽（７，１０）内に温風を供給して、その槽内に収容された衣類を乾燥させる機能を有するランドリー機器（１）であって、上記槽内からの排気が流通する排気風路（６３〜６６，２１Ｂ）と、上記排気風路内に設けられ、上記排気風路を流通する排気中のリントを捕獲するリントフィルタ（６７）と、上記リントフィルタに対して、上記排気風路における排気の流通方向の下流側から液体（たとえば、水）を吹きつけることにより、上記リントフィルタで捕獲されたリントを液体で洗い流すためのリントフィルタ清掃手段（６８）とを含むことを特徴とするランドリー機器である。
【０００９】
なお、括弧内の英数字は、後述の実施形態における対応構成要素などを表す。以下、この項において同じ。
この構成によれば、リントフィルタに対して排気の流通方向の下流側から液体を吹きつけることによって、リントフィルタにより捕獲された（リントフィルタに付着した）リントを洗い流すことができるので、リントフィルタを取り外して清掃する手間が省け、使い勝手がよい。
【００１０】
請求項２記載の発明のように、上記リントフィルタ清掃手段（６８）により上記リントフィルタ（６７）に対して液体を吹きつける動作を所定のタイミング（運転終了時や電源オン時など）で実行する制御手段（３１，６８Ｂ，ＥＡ６，ＥＡ７，ＥＢ２，ＥＢ３）をさらに含むような構成であれば、所定のタイミングで自動的にリントフィルタに液体が吹き付けられ、リントフィルタが定期的に清掃されるので、リントフィルタを清掃するための特別の操作を行う必要がなく、より使い勝手がよい。
【００１１】
請求項３記載の発明のように、上記排気風路（６３〜６６，２１Ｂ）は、その下流端が機外に開放された開放型の排気風路であってもよい。
請求項４記載の発明は、上記排気風路（６３〜６６，２１Ｂ）は、下方から上方へと延びる風路（６４）を備え、上記リントフィルタ清掃手段（６８）は、上記リントフィルタ（６７）に対して流通方向下流側である上方から液体を吹きつけるものであることを特徴とする請求項１〜３のいずれかに記載のランドリー機器（１）である。
【００１２】
この構成によれば、リントフィルタに上方から吹きつけられた液体を、上下方向に延びる風路に沿って重力により良好に下方（リントフィルタから遠ざかる方向）へと導くことができる。したがって、リントフィルタに付着したリントを良好に洗い流すことができるので、より使い勝手がよい。
請求項５記載の発明は、上記ランドリー機器（１）は、上記槽（７，１０）内に液体を貯めて衣類の洗濯を行う機能を有しており、上記槽内から機外に排出される液体が流通する排出路（１７）と、上記リントフィルタ清掃手段（６８）により上記リントフィルタ（６７）に吹きつけられた液体を上記排出路に導くための導出路（６４）と、上記排出路内を流れる液体が上記導出路に流れ込むのを防止するための逆流防止部材（２０）とを含むことを特徴とする請求項１〜４のいずれかに記載のランドリー機器（１）である。
【００１３】
この構成によれば、リントフィルタに吹きつけられた液体を、導出路および逆流防止部材を介して排出路から機外に排出させることができる一方、排出路を流れる液体が導出路に逆流するのを防止できる。したがって、リントフィルタの清掃を良好に行うことができる。
請求項６記載の発明は、上記逆流防止部材（２０）は、回動軸（２０３）に対して回動可能に取り付けられ、上記導出路（６４）から上記排出路（１７）への液体の流入口（２０Ｂ）を開閉するための回動部材（２０２）と、上記流入口を閉じる方向に上記回動部材を付勢する付勢部材（２０４）と、上記流入口に沿った平面に対して交叉する方向（たとえば、直交する方向）に上記回動軸を移動可能に保持する保持部材（２０８，２０９）とを含むことを特徴とする請求項５記載のランドリー機器（１）である。
【００１４】
流入口が回動部材によって閉じられる場合であっても、回動部材の根元部が流入口の回動軸側の縁に当たって、回動部材の先端部が流入口から離間したり、回動部材の先端部が流入口の回動軸とは反対側の縁に当たって、回動部材の根元部が流入口から離間したりする場合がある。この場合、回動部材と流入口との離間している部分から、排出路を流れる液体が導出路に逆流するおそれがある。
この発明の構成によれば、回動軸が流入口に沿った平面に対して交叉する方向に移動可能に取り付けられているので、回動部材の先端部が流入口から離間した場合でも、付勢部材の付勢力に基づく反作用力によって、回動軸が流入口から遠ざかる方向に移動し、回動部材の先端部を流入口に密着させることができる。一方、回動部材の根元部が流入口から離間した場合には、付勢部材の付勢力に基づく反作用力によって、回動軸が流入口に近づく方向に移動し、回動部材の根元部を流入口に密着させることができる。したがって、回動部材を流入口の全周にわたって密着させることができるので、排出路を流れる液体が導出路に逆流するのを確実に防止できる。
【００１５】
請求項７記載の発明は、貨幣の投入に基づいてランドリー運転（洗濯や乾燥など）を実行するランドリー機器（１）であって、投入された貨幣の合計金額を算出する投入金額算出手段（３１，Ｓ２，Ｓ４，Ｔ５，Ｔ９，Ｐ３，Ｐ７）と、所定の運転コースの実行に必要な金額を超えて貨幣が投入されている場合に、その必要な金額を超えた金額分に応じた付加運転を上記所定のランドリー運転に追加して実行する運転実行手段（３１，Ｔ８，Ｔ１２，Ｐ６）とを含むことを特徴とするランドリー機器である。
【００１６】
この構成によれば、所定の運転コースの実行に必要な金額以上の貨幣を投入するだけで付加運転を自動的に選択することができるので、付加運転を指示するためのキーを別途設けるような構成と比較して、キー操作の手間が減り、より使い勝手がよい。
請求項８記載の発明は、上記ランドリー機器（１）は、運転実行に必要な金額が互いに異なる複数の運転コースを実行可能であって、上記複数の運転コースの中から、投入された貨幣の合計金額によって実行可能な運転コースを自動的に選択する運転可能コース自動選択手段（３１，Ｓ３，Ｓ５，Ｓ６）と、上記運転可能コース自動選択手段によって自動選択された運転コースの中から、所望の運転コースの実行開始を指示するスタート指示手段（５１１〜５１３）とをさらに含み、上記運転実行手段（３１，Ｔ８，Ｔ１２）は、上記スタート指示手段によって実行開始が指示された運転コースの実行に必要な金額を超えて貨幣が投入されている場合に、その必要な金額を超えた金額分に応じた付加運転を上記実行開始が指示された運転コースに追加して実行するものであることを特徴とする請求項７記載のランドリー機器である。
【００１７】
この構成によれば、スタート指示手段により所望の運転コースを開始させたとき、その運転コースの実行に必要な金額を超えて貨幣が投入されている場合に、その差額に応じた付加運転が実行される。したがって、所望の運転コースの実行に必要な金額以上の貨幣を投入するだけで付加運転を自動的に選択することができるので、付加運転を指示するためのキーを別途設けるような構成と比較して、キー操作の手間が減り、より使い勝手がよい。
【００１８】
請求項９記載の発明は、上記ランドリー機器（１）は、運転実行に必要な金額が互いに異なる複数の運転コースを実行可能であって、上記複数の運転コースの中から、所望の運転コースを選択するためのコース選択手段（５４１）をさらに含み、上記運転実行手段（３１，Ｐ６）は、上記コース選択手段によって選択された運転コースの実行に必要な金額を超えて貨幣が投入されている場合に、その必要な金額を超えた金額分に応じた付加運転を上記選択された運転コースに追加して実行するものであることを特徴とする請求項７記載のランドリー機器である。
【００１９】
この構成によれば、貨幣を投入して所望の運転コースを開始させたとき、コース選択手段により選択した運転コースの実行に必要な金額を超えて貨幣が投入されている場合に、その差額に応じた付加運転が実行される。したがって、所望の運転コースの実行に必要な金額以上の貨幣を投入するだけで付加運転を自動的に選択することができるので、付加運転を指示するためのキーを別途設けるような構成と比較して、キー操作の手間が減り、より使い勝手がよい。
【００２０】
請求項１０記載の発明は、投入された貨幣の合計金額に応じた運転コースを自動的に選択するコース自動選択手段をさらに含み、上記運転実行手段（３１）は、上記コース自動選択手段によって自動選択された運転コースの実行に必要な金額を超えて貨幣が投入されている場合に、その必要な金額を超えた金額分に応じた付加運転を上記自動選択された運転コースに追加して実行するものであることを特徴とする請求項７記載のランドリー機器（１）である。
【００２１】
この構成によれば、貨幣の投入金額に応じた運転コースが自動的に選択されるとともに、その運転コースの実行に必要な金額を超えて貨幣が投入されている場合には、その差額に応じた付加運転が実行される。したがって、運転コースを選択するためのキーや付加運転を指示するためのキーを設ける必要がないので、キー操作の手間が省け、さらに使い勝手がよい。
【００２２】
【発明の実施の形態】
以下には、図面を参照して、この発明の実施形態について具体的に説明する。
図１は、この発明の一実施形態に係る洗濯乾燥機１の外観構成を示す正面図である。図２は、洗濯乾燥機１の縦断面図であって、前後方向に沿った鉛直面で切断したときの断面を右側から見た図を示している。また、図３は、洗濯乾燥機１の背面図であって、筐体２の背面の一部を省略して示している。
【００２３】
図１〜図３を参照して、この洗濯乾燥機１は、たとえば、平面視で略矩形の筐体２により外形が区画されている。筐体２の上面の手前側は、１段低く形成されていて、手前側に向かって低くなるように傾斜した傾斜面２Ｂとなっている。この傾斜面２Ｂの左右方向中央部には、当該傾斜面２Ｂの前端から後端にかけて、外蓋３によって開閉可能な開口４が形成されている。
外蓋３は、たとえば、その後端部が筐体２に対して回動可能に取り付けられており、前端部に形成された把持部３Ｃを掴んで持ち上げることにより、外蓋３が筐体２の段差面２Ａに沿って傾斜面２Ｂから上方に起立した状態で、開口４を開放することができる。筐体２の前面上端部には、たとえば、開口４の右手前側の位置に、外蓋３が閉じた状態から開かないようにロックするためのドアロック３Ａと、外蓋３の開閉を検知するためのドアスイッチ３Ｂとが配置されている。
【００２４】
傾斜面２Ｂの開口４の右側には、たとえば、この洗濯乾燥機１の運転に関する各種設定（コース設定など）や、運転状況などの各種表示を行うための操作表示パネル５が配置されている（図１参照）。操作表示パネル５は、傾斜面２Ｂに配置されることにより斜め上方手前側を向いており、当該洗濯乾燥機１の手前側に立った使用者は、斜め下方に向かって操作表示パネル５の表面を垂直に見下ろすことができるようになっている。これにより、使用者は、操作表示パネル５の表示を見やすく、操作もしやすい。
【００２５】
この洗濯乾燥機１は、たとえば、コインランドリーなどに設置される業務用のコインランドリー機器であって、貨幣の投入に基づいて洗濯や乾燥などのランドリー運転を実行する。段差面２Ａの右端部には、たとえば、貨幣（たとえば、１００円や５００円などの硬貨）を投入するための貨幣投入口６Ａが形成されており、使用者は、この貨幣投入口６Ａから所望の運転コースに応じた金額の貨幣を投入することにより、その運転コースを実行させることができるようになっている。貨幣投入口６Ａから投入された貨幣が真正な貨幣であるか否か、そして、真正な貨幣である場合にはその貨幣の種類（１００円や５００円など）がいずれの種類であるかは、洗濯乾燥機１内に備えられた貨幣判別装置６（図５参照）によって判別される。
【００２６】
貨幣投入口６Ａの下方には、たとえば、返却レバー６Ｂが配置されている。使用者が返却レバー６Ｂを操作した場合や、貨幣投入口６Ａから投入された貨幣が真正な貨幣でない場合には、貨幣投入口６Ａから投入された貨幣が当該返却レバー６Ｂの下方に配置された貨幣返却口６Ｃから返却されるようになっている。
貨幣投入口６Ａから投入された貨幣は、たとえば、貨幣収容ボックス６Ｄに収容される。貨幣収容ボックス６Ｄの前面には、たとえば鍵孔が形成されていて、この鍵孔に専用の鍵を差し込んで所定方向に回転させることにより、当該貨幣収容ボックス６Ｄのロックを解除して、手前側に引き出し可能にすることができる。そして、貨幣収容ボックス６Ｄを手前側に引き出すことにより、当該貨幣収容ボックス６Ｄに収容されている貨幣を取り出すことができるようになっている。
【００２７】
筐体２の内部には、たとえば、両端面が閉塞された略円筒状の外槽７が、その軸線が左右（略水平）に延びるように配置されている。外槽７は、たとえば、その外周面下部の前側および後側が１対のダンパ８により支持されている。
外槽７の内部には、洗濯物を内部に収容するためのドラム１０が配置されている。ドラム１０は、たとえば、両端面が閉塞された略円筒状の形状を有していて、その軸線が左右（略水平）に延びるように配置されている。ドラム１０の両端面には、それぞれ、軸線に沿って延びる回転軸１１が取り付けられていて、各回転軸１１は、外槽７の両端面に対して回転可能に取り付けられている。
【００２８】
外槽７の周面の上端部には、筐体２の開口４と対向する位置に中蓋２４が取り付けられていて、この中蓋２４をその後端部を中心にして回動させることにより、当該中蓋２４によって開閉される外槽７の開口を開放することができるようになっている。また、ドラム１０の周面には、ドラム蓋（図示せず）が取り付けられていて、このドラム蓋を開けることにより、当該ドラム蓋によって開閉されるドラムの開口を開放することができるようになっている。したがって、この洗濯乾燥機１では、外蓋３、中蓋２４およびドラム蓋のすべてを開いた状態でドラム１０内に洗濯物を出し入れできるようになっている。
【００２９】
一方（左側）の回転軸１１には、たとえば、ＤＤモータ１３が、いわゆるＤＤ方式（ダイレクトドライブ方式）で連結されている（図５参照）。洗濯時や乾燥時には、ドラム１０内に洗濯物を収容した状態でＤＤモータ１３が回転駆動されることにより、ドラム１０が回転される。これにより、ドラム１０内の洗濯物が、当該ドラム１０の内周面に設けられたバッフル（図示せず）により持ち上げられ、ある程度の高さから自然落下するといった動作（タンブリング）が繰り返されるようになっている。
【００３０】
筐体２の背面の上部左側には、たとえば、外部の水道栓などから常温の水道水を機内に導入するための給水口１５Ａ、および外部の給湯設備などから湯を機内に導入するための給湯口１５Ｂが設けられている（図３参照）。洗濯時には、給水バルブ１４Ａ（図５参照）を開くことにより、給水口１５Ａから機内に導入される常温の水道水を外槽７内に供給することができる一方、給湯バルブ１４Ｂ（図５参照）を開くことにより、給湯口１５Ｂから機内に導入される湯を外槽７内に供給することができるようになっている。
【００３１】
外槽７の周面の下端部には、たとえば、排水口１６が形成されており、この排水口１６には排水管１７が接続されている。排水管１７の途中には、排水バルブ１８が設けられていて、この排水バルブ１８を閉じた状態で給水を行うことにより、外槽７内に常温の水道水または湯（以下、簡略して「水」と呼ぶ）を貯めることができる。また、外槽７内に貯まった水は、排水バルブ１８を開くことにより、排水口１６および排水管１７を介して機外に排水することができる。
【００３２】
排水管１７には、排水バルブ１８よりも上流側（排水口１６側）に、分岐管１９が接続されている。分岐管１９は、たとえば上方手前側に向かって延びており、排水バルブ１８を閉じた状態で給水を行うと、外槽７内に水が貯まるとともに、分岐管１９内にも水が導かれる。分岐管１９は、たとえば、エアトラップ（図示せず）に連通していて、このエアトラップ内の圧力変化を水位センサ２９（図５参照）で検出することにより、外槽７内の水位を検知することができるようになっている。
【００３３】
排水管１７の終端には、外槽７からの排水が逆流するのを防止するための逆流防止部材２０が取り付けられている。この逆流防止部材２０は、たとえば筐体２内の右後側下部に配置されていて、その後端には、外槽７から排出される水を機外の所定位置に導く排水ホースを接続するための排水ホース接続口２０Ａが形成されている。
ドラム１０の周面には、多数個の通水孔（図示せず）が形成されており、外槽７内に供給された水は、これらの通水孔を通ってドラム１０内に流入するようになっている。洗濯の第１工程である洗い工程では、外槽７内に所定水位まで水を貯めた状態でタンブリングが繰り返されることにより、洗濯物が外槽７内に貯められた水の水面にたたきつけられて、たたき洗いが達成されるようになっている。
【００３４】
洗い工程が終了すると、洗濯物に含まれる洗剤成分を除去するためのすすぎ工程が行われ、その後に脱水工程へと移る。脱水工程では、ドラム１０が高速回転（たとえば、３００〜１０００ｒｐｍ）されて、洗濯物に含まれる水が遠心力により絞り出され、この洗濯物から出た水分が通水孔を通って外槽７側へ飛散する。
外槽７の周面には、たとえばその下部手前側に、外槽７内の水を電気分解するための電解装置２２（図５参照）が取り付けられている。電解装置２２は、内部に複数枚の電極板（図示せず）を備えていて、電極板を通電した状態で電解装置２２内に水が取り込まれると、水道水の成分である水と塩素とが化学的に反応して、活性酸素（Ｏ２−）や次亜塩素酸（ＨＣｌＯ）などが生成される。これらの生成物が生成された電解処理後の水（電解水）を用いて洗濯を行えば、洗濯物から出た汚れが再び洗濯物に付着するのを防止できると共に、殺菌効果により洗濯物に対する除菌を行うことができる。
【００３５】
筐体２の背面の上部右側には、たとえば、外部の洗剤タンクなどから液体の洗剤を機内に導入するための洗剤導入口２５Ａ、および外部のソフタータンクなどから液体の柔軟仕上げ剤（いわゆる、ソフター）を機内に導入するためのソフター導入口２５Ｂが設けられている（図３参照）。洗濯時には、洗剤ポンプ２６Ａ（図５参照）を駆動することにより、洗剤導入口２５Ａから機内に導入される洗剤を外槽７内に供給することができる一方、ソフターポンプ２５Ｂ（図５参照）を駆動することにより、ソフター導入口２５Ｂから機内に導入されるソフターを外槽７内に供給することができるようになっている。
【００３６】
この洗濯乾燥機１は、洗濯物を乾燥させる機能も有しており、筐体２内の上部後側には、たとえば、機外から取り込んだ空気を加熱して加熱空気を生成するためのガスバーナ２３が配置されている。ガスバーナ２３は、たとえば、その内部に加熱室としての空間を有する箱状のガスバーナ収容体２３Ａ内に収容されている。筐体２内の後側には、たとえばファン２１が配置されており、このファン２１がファンモータ２１Ａによって回転駆動されることにより、筐体２の背面上部に形成された複数の吸込口２７からガスバーナ収容体２３Ａ内に機外の空気が取り込まれ、ガスバーナ２３の働きにより加熱空気が生成される。
【００３７】
ガスバーナ２３で使用するガスは、たとえば、筐体２の背面に形成されたガス供給口２３Ｂから機内に導入されるようになっている。乾燥時には、ガスバルブ２３Ｃ（図５参照）を開くことにより、ガス供給口２３Ｂから機内に導入されるガスをガスバーナ２３に供給することができるようになっている。
ガスバーナ収容体２３Ａの内面には、たとえば、ガスバーナ２３が着火しているか否かを検知するための熱電対４１と、加熱室内の温度を検知するためのバーナサーミスタ４２と、加熱室内の温度が一定値以上になったことを検出して、加熱室の異常高温状態を検知するための入口サーモスタット４３とが取り付けられている。
【００３８】
ガスバーナ収容体２３Ａには、たとえば、右側方に向かって延びる送風管６１の一端が連結されていて、当該送風管６１の他端は、外槽７の右端面に取り付けられた導入風路部材６２に連結されている。導入風路部材６２は、外槽７の右端面の中央部まで延びており、送風管６１を介して送られてきた温風は、外槽７の右側面の中央部から外槽７内に吹き込まれるようになっている。導入風路部材６２内は、たとえば外槽７の右端面の中央寄りの位置に、入口サーミスタ４４が取り付けられていて、当該入口サーミスタ４４により外槽７内に流入する温風の温度を検知することができるようになっている。
【００３９】
乾燥時には、温風を外槽７内に吹き込みつつ、ドラム１０を回転させて当該ドラム１０内に収容されている衣類のタンブリングを繰り返すことにより、良好に乾燥を行うことができる。
外槽７の右端面の後側下部には、たとえば、外槽７内の空気を排出するための通気口７１が形成されている。また、外槽７の右端面には、たとえば、通気口７１から排出された外槽７内の空気をファン２１側へと導くための導出風路部材６３が取り付けられている。導出風路部材６３内には、たとえば通気口７１の近傍に、出口サーミスタ４５が取り付けられていて、当該出口サーミスタ４５により外槽７から通気口７１を介して流出する空気の温度を検知することができるようになっている。また、導出風路部材６３内の通気口７１とは反対側の端部近傍には、たとえば外槽７から流出する空気の温度が一定値以上になったことを検出して、導出風路部材内の異常高温状態を検知するための出口サーモスタット４６が取り付けられている。
【００４０】
筐体２内の右後側には、たとえば、排出口１６から排水ホース接続口２０Ａに至る排水路の途中部に結合する導出管６４が、上下方向に延びている。導出風路部材６３を通って送られてくる空気は、送風管６５を介して、導出管６４の途中部に形成された開口６４Ａから当該導出管６４内に流入し、当該導出管６４内を上方に向かって流れる。導出管６４の上端には、当該導出管６４からの空気をファン２１へと導くための誘導風路部材６６が接続されている。
【００４１】
外槽７の通気口７１から排出される空気には、乾燥の過程で衣類から分離した糸くず（いわゆる、リント）が含まれる。導出管６４と誘導風路部材６６との結合部には、たとえば、外槽７側から導出風路部材６３、送風管６５および導出管６４を介して送られてくる空気に含まれるリントを捕獲するためのリントフィルタ６７が、水平面に沿って配置されている。リントフィルタ６７は、たとえば、金属製の網状部材により構成されている。導出管６４内を下方から上方に向かって流れる空気に含まれるリントは、空気がリントフィルタ６７を通過する過程で捕獲され、当該リントフィルタ６７の下面に付着する。
【００４２】
リントフィルタ６７によりリントが除去された後の空気は、誘導風路部材６６を通って、ファン２１を収容するファンケーシング２１Ｂ内に導かれる。そして、回転するファン２１の働きによって、誘導風路部材６６を通って送られてきた空気がファンケーシング２１Ｂ内を流通し、筐体２の背面下部から後方に向かって開口する排気口２８から機外に排出される。すなわち、この洗濯乾燥機１は、乾燥時に衣類に吹きつけた後の空気を機外に排出する、いわゆる開放型の排気風路を有している。
【００４３】
この実施形態の特徴の１つは、リントフィルタ６７に対して空気の流通方向（下方から上方）の下流側（上方）から水を吹きつけるためのリントノズル６８が設けられている点にある。より具体的には、誘導風路部材６６の導出管６４からの入口に対向する上面には、下方に向かって水を噴射するリントノズル６８が取り付けられていて、当該リントノズル６８には、給水口１５Ａから導入される水の一部をリントノズル６８へと導くホース６８Ａが接続されている。所定のタイミングでリントノズルバルブ６８Ｂ（図５参照）が開かれると、リントノズル６８からリントフィルタ６７全体に水が噴射され、リントフィルタ６７で捕獲された（リントフィルタ６７の下面に付着した）リントが導出管６４を介して下方へと洗い流されるようになっている。
【００４４】
このような構成によれば、リントフィルタ６７への水の噴射によってリントフィルタ６７に付着したリントを洗い流すことができるので、リントフィルタ６７を取り外して清掃する手間が省け、使い勝手がよい。
導出管６４の下端は、たとえば、逆流防止部材２０に結合されている。したがって、リントノズル６８からリントフィルタ６７に噴射された水は、導出管６４を通って下方へと流れ、逆流防止部材２０を介して機外に排出されるようになっている。この実施形態では、導出管６４が上下方向に延びているので、リントフィルタ６７に噴射した水を重力により良好に逆流防止部材２０側へと導いて、機外に排出することができる。したがって、リントフィルタ６７に付着したリントを良好に洗い流すことができるので、より使い勝手がよい。
【００４５】
導出管から逆流防止部材２０を介して機外に排出された水は、たとえば、機外に設置されたリント収容タンク（図示せず）を通過して下水道に送られる。このリント収容タンクを通過する過程で、排水に含まれるリントが当該リント収容タンク内に収容され、リントが下水道に流れ込むのを防止できるようになっている。コインランドリーの従業員などは、このリント収容タンクを定期的に（たとえば、半年に１回程度）清掃する必要があるが、リントフィルタを定期的に（たとえば、毎日）取り外して清掃する場合と比較すれば、手間がかからない。
【００４６】
図４は、逆流防止部材２０の内部構成を示す断面図である。図４（ａ）は、導出管６４から逆流防止部材２０への流入口２０Ｂを開閉するための部材（第２逆止弁２０２、回動軸２０３および捩じりコイルばね２０４）を取り外した状態を示しており、図４（ｂ）は、流入口２０Ｂが第２逆止弁２０２により閉じられた状態を示している。
逆流防止部材２０には、たとえば、排水ホース接続口２０Ａと反対側（前方）の端面に、排水管１７を接続するための接続管２０５が形成されている。この接続管２０５から逆流防止部材２０内への水の流入口２０Ｃは、たとえば、その上端部が逆流防止部材２０の内面に対して回動軸２０６を中心に回動可能に取り付けられた第１逆止弁２０１により開閉可能となっている。
【００４７】
排水時には、排水管１７から流入口２０Ｃを介して送られてくる水によって第１逆止弁２０１が後方側に押しのけられ、第１逆止弁２０１が回動軸２０６を中心に後方側（図４における反時計回り）に回動することにより、排水管１７からの水が逆流防止部材２０内に流入可能となる。排水が終了すると、第１逆止弁２０１が、その自重によって手前側（図４における時計回り）に回動して流入口２０Ｃが閉じられるので、逆流防止部材２０側から排水管１７に水が逆流するのを防止することができる。
【００４８】
また、乾燥時には、外槽７内の空気が排気口２８から排出されるので、外槽７内およびこれに連通する排水管１７内の圧力が低下する。したがって、乾燥時には、第１逆止弁２０１に流入口２０Ｃを閉じる方向（前方）に向かって力が作用し、流入口２０Ｃが閉じられた状態となる。
逆流防止部材２０の上面には、たとえば、導出管６４を接続するための接続管２０７が形成されている。この接続管２０７から逆流防止部材２０内への水の流入口２０Ｂは、たとえば、その前端部が逆流防止部材２０の内面に対して回動軸２０３を中心に回動可能に取り付けられた第２逆止弁２０２により開閉可能となっている（図４（ｂ）参照）。逆流防止部材２０内の流入口２０Ｂの手前側には、回動軸２０３を保持するための保持板２０８が突出して形成されており、この保持板２０８に形成された長孔２０９内に回動軸２０３が挿通されることにより、回動軸２０３および第２逆止弁２０２が逆流防止部材２０内に保持されている。
【００４９】
上記長孔２０９は、たとえば、流入口２０Ｂに沿った平面に対して直交する方向に延びていて（図４（ａ）参照）、回動軸２０３は、長孔２０９に沿って移動可能となっている。回動軸２０３には、たとえば捩じりコイルばね２０４が被せられていて、当該捩じりコイルばね２０４の一端部は第２逆止弁２０２の流入口２０Ｂとは反対の面に当接し、他端部は逆流防止部材２０の内面に当接している。したがって、第２逆止弁２０２は、捩じりコイルばね２０４の押圧力によって、流入口２０Ｂを閉じる方向に付勢されている。
【００５０】
排水時には、導出管６４から逆流防止部材２０への水の流入はないので、第２逆止弁２０２は、捩じりコイルばね２０４によって上方（図４における反時計回り）に付勢され、流入口２０Ｂが閉じられる。また、乾燥時には、外槽７内の空気が排気口２８から排出されるので、外槽７内およびこれに連通する導出管６４内の圧力が低下する。したがって、乾燥時には、第２逆止弁２０２に流入口２０Ｂを閉じる方向（上方）に向かって力が作用し、流入口２０Ｂが閉じられる。
【００５１】
しかし、排水時や乾燥時に、上記のようにして流入口２０Ｂが第２逆止弁２０２によって閉じられる場合であっても、第２逆止弁２０２の根元部が流入口２０Ｂの回動軸２０３側の縁に当たって、第２逆止弁２０２の先端部が流入口２０Ｂから離間したり、第２逆止弁２０２の先端部が流入口２０Ｂの回動軸２０３とは反対側の縁に当たって、第２逆止弁２０２の根元部が流入口２０Ｂから離間したりする場合がある。この場合、第２逆止弁２０２と流入口２０Ｂとの離間している部分から水が逆流するおそれがある。
【００５２】
この実施形態では、回動軸２０３が長孔２０９に沿って移動可能に取り付けられているので、第２逆止弁２０２の先端部が流入口２０Ｂから離間した場合でも、捩じりコイルばね２０４の付勢力に基づく反作用力によって、回動軸２０３が長孔２０９の下端側（流入口２０Ｂから遠ざかる方向）に移動し、第２逆止弁２０２の先端部を流入口２０Ｂに密着させることができる。一方、第２逆止弁２０２の根元部が流入口２０Ｂから離間した場合には、捩じりコイルばね２０４の付勢力に基づく反作用力によって、回動軸２０３が長孔２０９の上端側（流入口２０Ｂに近づく方向）に移動し、第２逆止弁２０２の根元部を流入口２０Ｂに密着させることができる。したがって、第２逆止弁２０２を流入口２０Ｂの全周にわたって密着させることができるので、逆流防止部材２０から導出管６４に水が逆流するのを確実に防止できる。
【００５３】
一方、リントノズル６８からリントフィルタ６７に水が噴射された場合には、導出管６４を通って下方に流れてくる噴射後の水によって第２逆止弁２０２が押し下げられ、第２逆止弁２０２が回動軸２０３を中心に下方（図４における時計回り）に回動することにより、導出管６４からの水が逆流防止部材２０内に流入可能となる。
図５は、洗濯乾燥機１の電気的構成を示すブロック図である。
【００５４】
洗濯乾燥機１内には、当該洗濯乾燥機１全体を制御するための制御部３０が備えられている。制御部３０は、たとえば、マイクロコンピュータなどで構成されており、ＣＰＵ３１、ＲＯＭ３２、ＲＡＭ３３およびタイマ３４などを含む。ＲＯＭ３２には、当該洗濯乾燥機１の運転を制御するために用いる運転プログラムが予め格納されている。
制御部３０には、たとえば、貨幣判別装置６、ドアスイッチ３Ｂ、熱電対４１、水位センサ２９、バーナサーミスタ４２、入口サーミスタ４４、出口サーミスタ４５、入口サーモスタット４３および出口サーモスタット４６などからの出力信号が入力されるようになっている。
【００５５】
一方、制御部３０には、ＤＤモータ１３、ファンモータ２１Ａ、給水バルブ１４Ａ、給湯バルブ１４Ｂ、ガスバルブ２３Ｃ、洗剤ポンプ２６Ａ、ソフターポンプ２６Ｂ、排水バルブ１８、ドアロック３Ａ、リントノズルバルブ６８Ｂおよび電解装置２２などが、制御対象として電気的に接続されている。
操作表示パネル５は、制御部３０に対して入出力可能に接続されている。これにより、使用者の操作キー５１の操作に応じた入力信号が制御部３０に与えられるとともに、制御部３０からの出力信号に応じて表示部５２の表示が制御されるようになっている。
【００５６】
図６は、操作表示パネル５の外観構成を示す平面図である。
この洗濯乾燥機１は、洗濯工程（洗い工程、すすぎ工程および脱水工程）だけを行う洗濯コース、乾燥工程だけを行う乾燥コース、洗濯工程および乾燥工程を行う洗濯乾燥コースの３つの運転コースのうち、いずれかの運転コースを選択して実行することができるようになっている。洗濯コースは、たとえば３００円であって、３７〜３８分間の洗濯工程が実行される。乾燥コースは、たとえば１５分の乾燥工程につき１００円である。洗濯乾燥コースは、たとえば６００円であって、３７〜３８分間の洗濯工程が実行された後、４５分間（３００円分）の乾燥工程が実行される。
【００５７】
操作表示パネル５には、各運転コースの実行開始を指示するためのスタートキー（洗濯コーススタートキー５１１、乾燥コーススタートキー５１２および洗濯乾燥コーススタートキー５１３）が配置されている。各スタートキー５１１〜５１３には、そのスタートキー５１１〜５１３に対応する運転コースを実行可能であるか否かを報知するための選択可能ランプ５２１〜５２３が配置されていて、実行可能な運転コースに対応する選択可能ランプ５２１〜５２３が点滅するようになっている。
【００５８】
操作表示パネル５の後端部右側には、たとえば、貨幣投入口６Ａから投入された貨幣の合計金額（投入金額）と、実行中の運転コースの終了までの残り時間とを切換表示可能な数字表示部５２４が配置されている。当該洗濯乾燥機１の運転が開始されるまでは、「投入金額」という文字の近傍に配置された投入金額選択ランプ５２５が点灯して、数字表示部５２４に投入金額を表示していることが報知されるとともに、数字表示部５２４に投入金額に対応する数字が表示される。一方、洗濯乾燥機１の運転が開始されると、「残り（約）」という文字の近傍に配置された残り時間選択ランプ５２６が点灯して、数字表示部５２４に残り時間を表示していることが報知されるとともに、数字表示部５２４に残り時間に対応する数字が表示される。
【００５９】
操作表示パネル５の左側上部には、当該洗濯乾燥機１が運転可能な状態である場合に点灯する営業中ランプ５２７と、洗濯乾燥機１が運転中である場合に点灯する使用中ランプ５２８とが配置されている。
また、操作表示パネル５の左側中央部には、当該洗濯乾燥機１の運転が実行中である場合に、その時点で実行中の工程（洗い工程、すすぎ工程、脱水工程、乾燥工程）を報知するための工程表示部が配置されている。この工程表示部には、各工程に対応付けて、洗い工程ランプ５２９、すすぎ工程ランプ５３０、脱水工程ランプ５３１および乾燥工程ランプ５３２が配置されていて、実行中の工程に対応するランプが点灯するようになっている。
【００６０】
この実施形態に係る洗濯乾燥機１は、たとえば、ドラム１０内に収容されている洗濯物が偏っている場合に、その洗濯物の偏りに起因して共振が発生するのを防止するために偏りを除去する機能（偏心除去機能）を備えている。当該偏心除去機能は、たとえば、ドラム１０の回転速度を変化させて、偏っている洗濯物の一部を落下させることにより達成されるようになっている。工程表示部の手前側には、たとえば、偏心除去機能の実行中に点灯する偏心除去中ランプ５３３が配置されている。また、偏心除去中ランプ５３３の手前側には、たとえば、熱電対４１を用いた検知によってガスバーナ２３に着火していると判断されているときに点灯する燃焼ランプ５３４が配置されている。
【００６１】
操作表示パネル５の左側前端部には、ドラム洗浄キー５１４が配置されている。このドラム洗浄キー５１４が所定期間内（たとえば、外蓋３が開けられた状態から閉じられた後、１分以内）に操作された場合には、当該洗濯乾燥機１における運転が開始される前に、電解装置２２により生成した電解水が外槽７内に一定水位（ドラム１０の周面の一部が浸かる程度）まで貯められる。その後、ドラム１０が一定時間（たとえば、２分間）だけ回転されることにより、ドラム１０の周面全体が電解水により洗浄されるようになっている。ドラム洗浄キー５１４には、ドラム洗浄の実行中に点灯するドラム洗浄ランプ５３５が配置されている。
【００６２】
洗濯コーススタートキー５１１、乾燥コーススタートキー５１２、洗濯乾燥コーススタートキー５１３およびドラム洗浄キー５１４は、操作キー５１を構成している。一方、選択可能ランプ５２１〜５２３、数字表示部５２４、投入金額選択ランプ５２５、残り時間選択ランプ５２６、営業中ランプ５２７、使用中ランプ５２８、洗い工程ランプ５２９、すすぎ工程ランプ５３０、脱水工程ランプ５３１、乾燥工程ランプ５３２、偏心除去中ランプ５３３、燃焼ランプ５３４およびドラム洗浄ランプ５３５は、表示部５２を構成している。
【００６３】
図７は、貨幣投入口６Ａから貨幣の投入があった場合のＣＰＵ３１による制御内容を示すフローチャートである。
貨幣投入口６Ａから貨幣が投入された場合には（ステップＳ１でＹＥＳ）、ＣＰＵ３１は、当該貨幣投入口６Ａから投入された貨幣の合計金額が２００円以下であるか否かを判定する（ステップＳ２）。そして、合計金額が２００円以下である場合には（ステップＳ２でＹＥＳ）、乾燥コースしか実行できないので、ＣＰＵ３１は乾燥コーススタートキー５１２の選択可能ランプ５２２を点滅させる（ステップＳ３）。
【００６４】
合計金額が２００円以下でなく（ステップＳ２でＮＯ）、５００円以下の場合には（ステップＳ４でＹＥＳ）、洗濯コースおよび乾燥コースのいずれか一方または両方を実行可能であるので、ＣＰＵ３１は、洗濯コーススタートキー５１１および乾燥コースキー５１２の選択可能ランプ５２１，５２２をそれぞれ点滅させる（ステップＳ５）。
合計金額が５００円以下でない場合（ステップＳ４でＮＯ）、すなわち６００円以上である場合には、洗濯コース、乾燥コースおよび洗濯乾燥コースのいずれも実行可能である。この場合、洗濯コーススタートキー５１１を操作して洗濯コースを選択した場合には、洗濯コースと、差額分（合計金額から３００円を差し引いた分）の乾燥コースが実行されることになり、これは、洗濯乾燥コーススタートキー５１３を操作して洗濯乾燥コースを実行する場合と同じ運転内容となるので、洗濯コーススタートキー５１１の選択可能ランプ５２１を点滅させる必要がない。したがって、この場合、ＣＰＵ３１は、洗濯乾燥コーススタートキー５１３および乾燥コーススタートキー５１２の選択可能ランプ５２３，５２２だけをそれぞれ点滅させるようになっている（ステップＳ６）。
【００６５】
図８は、スタートキー５１１〜５１３の操作に応じてＣＰＵ３１が行う制御内容を示すフローチャートである。
選択可能ランプ５２１〜５２３が点滅しているスタートキー５１１〜５１３が操作された場合（ステップＴ１でＹＥＳ）、ＣＰＵ３１は、そのスタートキーが乾燥コーススタートキー５１２、洗濯コーススタートキー５１１および洗濯乾燥コーススタートキー５１３のいずれであるかによって異なる制御を行う。
【００６６】
操作されたスタートキーが乾燥コーススタートキー５１２である場合には（ステップＴ２でＹＥＳ）、ＣＰＵ３１は、貨幣投入口６Ａに投入された貨幣の合計金額に応じた時間分（１００円につき１５分）の乾燥コースを実行した後（ステップＴ３）、運転を終了する。
操作されたスタートキーが洗濯コーススタートキー５１１である場合には（ステップＴ４でＹＥＳ）、ＣＰＵ３１は、合計金額が３００円であるか否かを判定する（ステップＴ５）。合計金額が３００円である場合には（ステップＴ５でＹＥＳ）、ＣＰＵ３１は、洗濯コースを実行した後（ステップＴ６）、運転を終了する。一方、合計金額が３００円でない場合（ステップＴ５でＮＯ）、すなわち合計金額が４００円〜５００円である場合には、ＣＰＵ３１は、洗濯コースを実行した後（ステップＴ７）、差額分（合計金額から３００円を差し引いた分）の乾燥コース（追加乾燥）を実行して（ステップＴ８）、運転を終了する。
【００６７】
操作されたスタートキーが乾燥コーススタートキー５１２でも洗濯コーススタートキー５１１でもない場合（ステップＴ４でＮＯ）、すなわち洗濯乾燥コーススタートキー５１３である場合には、ＣＰＵ３１は、合計金額が６００円であるか否かを判定する（ステップＴ９）。合計金額が６００円である場合には（ステップＴ９でＹＥＳ）、ＣＰＵ３１は、洗濯乾燥コースを実行した後（ステップＴ１０）、運転を終了する。一方、合計金額が６００円でない場合（ステップＴ９でＮＯ）、すなわち合計金額が７００円以上である場合には、ＣＰＵ３１は、洗濯乾燥コースを実行した後（ステップＴ１１）、差額分（合計金額から６００円を差し引いた分）の乾燥コース（追加乾燥）を実行して（ステップＴ１２）、運転を終了する。
【００６８】
この実施形態では、洗濯コーススタートキー５１１または洗濯乾燥コーススタートキー５１３を操作して、洗濯コースまたは洗濯乾燥コースを開始させたとき、それぞれの運転コースの実行に必要な金額（３００円または６００円）を超えて貨幣が投入されている場合に、その差額分の追加乾燥を実行するようになっている。したがって、各運転コースの実行に必要な金額以上の貨幣を投入するだけで追加乾燥を自動的に選択することができるので、追加乾燥を指示するためのキーを別途設けるような構成と比較して、キー操作の手間が減り、より使い勝手がよい。
【００６９】
洗濯乾燥機１は、洗濯コース、乾燥コースおよび洗濯乾燥コースに限らず、他の運転コース（たとえば、電解水を用いてすすぎ工程を行う除菌コース、洗濯工程の実行時間を延長する念入りコース、脱水工程の実行時間を延長する搾り出しコース、上記除菌コースを延長する清潔コース、すすぎ工程中のすすぎ運転の回数を増加させる念入りすすぎコースなど）を実行できるようになっていてもよい。この場合、一定金額以上の貨幣を投入した場合に、上記のような他の運転コースが追加されるようになっていてもよい。
【００７０】
図９は、洗濯乾燥コース実行時のＣＰＵ３１による制御内容を示すフローチャートである。
洗濯乾燥コースが開始されると、まず、ＣＰＵ３１は、排水バルブ１８を閉じた状態で外槽７内に所定水位まで水を貯めた後、ドラム１０を回転（正転および反転）させてドラム１０内の洗濯物のタンブリングを繰り返すことにより、洗い工程を実行する（ステップＥＡ１）。
【００７１】
洗い工程が終了すると、ＣＰＵ３１は、排水バルブ１８を開いて外槽７内の水を一旦排水し、一定時間だけ脱水運転（中間脱水）を実行した後、すすぎ工程を実行する（ステップＥＡ２）。すすぎ工程では、外槽７内に水を供給しながら所定時間だけドラム１０を回転させた後、排水するといった動作（すすぎ運転）が複数回（たとえば、２回）行われる。２回目のすすぎ運転の際には、たとえば、ソフターポンプ２６Ｂが駆動されて、外槽７内の水にソフターが混入されるようになっている。
【００７２】
すすぎ工程が終了すると、ＣＰＵ３１は、排水バルブ１８を開いた状態のままドラム１０を所定時間だけ高速回転させることにより脱水工程を実行する（ステップＥＡ３）。そして、脱水工程が終了すると、ＣＰＵ３１は、ガスバルブ２３Ｃを開いてガスバーナ２３に着火するとともにファンモータ２１Ａを駆動させつつ、ドラム１０を回転させてドラム１０内の洗濯物のタンブリングを繰り返すことにより、乾燥工程を実行する（ステップＥＡ４）。
【００７３】
その後、ＣＰＵ３１は、ガスバルブ２３Ｃを閉じてガスバーナ２３による空気の加熱を停止した状態でファンモータ２１Ａを駆動させることにより、外槽７内に常温の空気を送り込みつつ、ドラム１０を回転させてドラム１０内の洗濯物のタンブリングを繰り返す。これにより、ドラム１０内の洗濯物を冷却するためのクールダウン運転が達成される（ステップＥＡ５）。クールダウン運転は、たとえば、ドラム１０内の洗濯物の温度（衣類温度）が５０℃以下になるまで実行される。
【００７４】
クールダウン運転が終了すると、ＣＰＵ３１は、リントノズルバルブ６８Ｂを開いてリントノズル６８から水を噴射させることにより、リントシャワー運転を開始させる（ステップＥＡ６）。このとき、ＣＰＵ３１は、タイマ３４による計時を開始し、その後に所定時間（たとえば、１分）が経過するまで（ステップＥＡ７でＹＥＳとなるまで）リントシャワー運転を実行した後、洗濯乾燥コースを終了する。１分間のリントシャワー運転を実行した場合、たとえば約２リットルの水がリントノズル６８から噴射される。
【００７５】
この実施形態では、洗濯乾燥コースの終了時に自動的にリントシャワー運転が実行され、リントフィルタ６７が定期的に清掃されるので、リントフィルタ６７を清掃するための特別の操作を行う必要がなく、より使い勝手がよい。
洗濯コースでは、ＣＰＵ３１は、上記ステップＥＡ１〜ＥＡ３を実行する。また、乾燥コースでは、ＣＰＵ３１は、上記ステップＥＡ４，ＥＡ５を実行する。リントシャワー運転を実行するタイミングは、上記のようなタイミング（洗濯乾燥コース終了時）に限らず、たとえば、他の運転コース（乾燥コースなど）が終了する際に実行するような構成であってもよいし、運転コースの開始時や途中で実行するような構成であってもよい。また、試運転モード中にリントシャワー運転を実行するような構成であってもよいし、操作表示パネル５にフィルタ清掃キーを設けて、このキーが操作された場合に実行するような構成であってもよい。
【００７６】
図１０は、この実施形態の変形例に係るリントシャワー運転の実行タイミングを説明するためのフローチャートである。
この変形例では、ＣＰＵ３１は、洗濯乾燥機１の電源がオンされた場合に（ステップＥＢ１でＹＥＳ）、リントノズルバルブ６８Ｂを開いてリントノズル６８から水を噴射させることにより、リントシャワー運転を開始させる（ステップＥＢ２）。このとき、ＣＰＵ３１は、タイマ３４による計時を開始し、その後に所定時間（たとえば、１分）が経過するまで（ステップＥＢ３でＹＥＳとなるまで）リントシャワー運転を実行する。
【００７７】
上記のような構成によれば、コインランドリーなどの開店時に洗濯乾燥機１の電源をオンした際、リントシャワー運転を実行することができるので、１日１回という最低限必要な回数だけリントフィルタ６７の清掃を行うことができる。したがって、リントシャワー運転のために使用する水量などを最低限に抑えることができる。
図１１は、他の実施形態の係る洗濯乾燥機１の操作表示パネル１０５の外観構成を示す平面図である。
【００７８】
この実施形態に係る洗濯乾燥機１では、洗濯工程（洗い工程、すすぎ工程および脱水工程）だけを行う洗濯コースや乾燥工程だけを行う乾燥コースは設定されておらず、所定量（たとえば、３０ｋｇ）までの洗濯物に対して洗濯乾燥コースを実行可能な標準コースと、上記所定量よりも少ない一定量（たとえば、１２ｋｇ）までの洗濯物に対して比較的少ない水量で洗濯乾燥コースを実行可能な少量コースの２つの運転コースのうち、どちらかの運転コースを選択して実行することができるようになっている。標準コースは、たとえば１６００円であって、少量コースは、たとえば８００円である。
【００７９】
操作表示パネル１０５の中央部には、標準コースの洗濯料金（１６００円）が表示されていて、この標準コースを開始させるためのスタートキーなどは配置されていない。すなわち、この実施形態では、標準コースの洗濯料金（１６００円）以上の貨幣が貨幣投入口６Ａから投入された場合に、自動的に標準コースが開始されるようになっている。
操作表示パネル１０５の中央部手前側には、少量コースを選択するための少量コースキー５４１が配置されている。この少量コースキー５４１が操作されて少量コースが選択されているときには、少量コースの洗濯料金（８００円）以上の貨幣が貨幣投入口６Ａから投入された場合に、自動的に少量コースが開始されるようになっている。
【００８０】
この実施形態では、選択されている運転コース（標準コースまたは少量コース）の実行に必要な洗濯料金を超えて貨幣が投入された場合には、すすぎ工程中に電解装置２２で生成した電解水を外槽７内に導入して洗濯物の殺菌を行うコース（除菌コース）を追加して実行するようになっている。除菌コースを追加するのに必要な料金は、たとえば１００円であって、１００円を超えて追加料金が投入された場合には、その超過分の貨幣が貨幣返却口６Ｃから返却されるようになっている。
【００８１】
少量コースキー５４１の右側には、ドラム洗浄キー５４２が配置されている。このドラム洗浄キー５４２が所定期間内（たとえば、外蓋３が開けられた状態から閉じられた後、１分以内）に操作された場合には、当該洗濯乾燥機１における運転が開始される前に、電解装置２２により生成した電解水が外槽７内に一定水位（ドラム１０の周面の一部が浸かる程度）まで貯められる。その後、ドラム１０が一定時間（たとえば、２分間）だけ回転されることにより、ドラム１０の周面全体が電解水により洗浄されるようになっている。
【００８２】
操作表示パネル１０５の後端部中央には、たとえば、当該洗濯乾燥機１が運転可能な状態である場合に点灯する営業中ランプ５５１が配置されている。この営業中ランプ５５１の手前側には、たとえば、貨幣投入口６Ａから投入された貨幣の合計金額（投入金額）と、実行中の運転コースの終了までの残り時間とを切換表示可能な数字表示部５５２が配置されている。当該洗濯乾燥機１の運転が開始されるまでは、「投入金額」という文字の近傍に配置された投入金額選択ランプ５５３が点灯して、数字表示部５５２に投入金額を表示していることが報知されるとともに、数字表示部５５２に投入金額に対応する数字が表示される。一方、洗濯乾燥機１の運転が開始されると、「残り（約）」という文字の近傍に配置された残り時間選択ランプ５５４が点灯して、数字表示部５５２に残り時間を表示していることが報知されるとともに、数字表示部５５２に残り時間に対応する数字が表示される。
【００８３】
操作表示パネル１０５の左側中央部には、たとえば、ドラム洗浄の実行中に点灯するドラム洗浄ランプ５５５が配置されている。また、ドラム洗浄ランプ５５５の手前側には、たとえば、除菌コースが追加されている場合に点灯する除菌コースランプ５５６が配置されている。
除菌コースランプ５５６の手前側には、当該洗濯乾燥機１の運転が実行中である場合に、その時点で実行中の工程（洗い工程、すすぎ工程、脱水工程、乾燥工程）を報知するための工程表示部が配置されている。この工程表示部には、各工程に対応付けて、洗い工程ランプ５５７、すすぎ工程ランプ５５８、脱水工程ランプ５５９および乾燥工程ランプ５６０が配置されていて、実行中の工程に対応するランプが点灯するようになっている。
【００８４】
少量コースキー５４１およびドラム洗浄キー５４２は、操作キーを５１構成している。一方、営業中ランプ５５１、数字表示部５５２、投入金額選択ランプ５５３、残り時間選択ランプ５５４、ドラム洗浄ランプ５５５、除菌コースランプ５５６、洗い工程ランプ５５７、すすぎ工程ランプ５５８、脱水工程ランプ５５９および乾燥工程ランプ５６０は、表示部５２を構成している。
図１２は、貨幣投入口６Ａから貨幣の投入があった場合のＣＰＵ３１による制御内容を示すフローチャートである。
【００８５】
貨幣投入口６Ａから貨幣が投入された場合には（ステップＰ１でＹＥＳ）、ＣＰＵ３１は、少量コースキー５４１が操作されて少量コースが選択されているか否かを判定する（ステップＰ２）。そして、少量コースが選択されている場合には（ステップＰ２でＹＥＳ）、ＣＰＵ３１は、貨幣投入口６Ａから投入された貨幣の合計金額が８００円以上であるか否かを判定する（ステップＰ３）。ＣＰＵ３１は、合計金額が８００円以上でない場合には（ステップＰ３でＮＯ）、さらに貨幣投入口６Ａから貨幣が投入されるか否かを再び監視する（ステップＰ１）一方、合計金額が８００円以上である場合には（ステップＰ３でＹＥＳ）、少量コースを開始させる（ステップＰ４）。
【００８６】
少量コースが選択されていない場合には（ステップＰ２でＮＯ）、ＣＰＵ３１は、貨幣投入口６Ａから投入された貨幣の合計金額が１６００円以上であるか否かを判定する（ステップＰ７）。ＣＰＵ３１は、合計金額が１６００円以上でない場合には（ステップＰ７でＮＯ）、さらに貨幣投入口６Ａから貨幣が投入されるか否かを再び監視する（ステップＰ１）一方、合計金額が１６００円以上である場合には（ステップＰ７でＹＥＳ）、標準コースを開始させる（ステップＰ８）。
【００８７】
その後、一定時間内（たとえば、すすぎ工程開始前まで）に追加料金の投入があった場合には（ステップＰ５でＹＥＳ）、ＣＰＵ３１は、すすぎ工程時に除菌コースを追加して実行するよう設定する（ステップＰ６）。この追加料金の投入には、たとえば、各運転コース（標準コースまたは少量コース）を開始させるために投入した貨幣の合計金額が、各運転コースの料金（１６００円または８００円）を超えている場合も含まれる。
【００８８】
この実施形態では、貨幣を投入して標準コースまたは少量コースを開始させた後、それぞれの運転コースの実行に必要な金額（１６００円または８００円）を超えて貨幣が追加投入された場合に、除菌コースを追加して実行するようになっている。したがって、各運転コースの実行に必要な金額以上の貨幣を投入するだけで除菌コースを自動的に選択することができるので、除菌コースを指示するためのキーを別途設けるような構成と比較して、キー操作の手間が減り、より使い勝手がよい。
【００８９】
ただし、上記のような構成に限らず、たとえば少量コースを設定せずに、標準コースでのみ運転を実行できるような構成とし、その標準コースの実行に必要な金額（１６００円）が投入された場合に自動的に標準コースを開始させるとともに、必要な料金を超えて貨幣が追加投入された場合に、除菌コースを追加して実行するような構成となっていてもよい。この場合、運転コースを選択するためのキーや除菌コースを指示するためのキーを設ける必要がないので、キー操作の手間が省け、さらに使い勝手がよい。
【００９０】
また、洗濯乾燥機１は、標準コース、少量コースおよび除菌コースに限らず、他の運転コース（たとえば、洗濯工程の実行時間を延長する念入りコース、脱水工程の実行時間を延長する搾り出しコース、上記除菌コースを延長する清潔コース、すすぎ工程中のすすぎ運転の回数を増加させる念入りすすぎコースなど）を実行できるようになっていてもよい。この場合、一定金額以上の貨幣を投入した場合に、上記のような他の運転コースが追加されるようになっていてもよい。
【００９１】
この発明は、以上の実施形態の内容に限定されるものではなく、請求項記載の範囲内において種々の変更が可能である。
リントフィルタ６７は水平面に沿って配置される構成に限らず、水平方向に対して傾斜する方向に沿って配置されるような構成であってもよい。この場合、導出管６４は、上下方向に延びる構成に限らず、上下方向に対して傾斜していてもよい。
【００９２】
リントノズル６８からリントフィルタ６７に対して水を噴射する構成に限らず、たとえば、他の液体（洗浄剤など）を噴射するような構成であってもよい。
洗濯乾燥機１は、コインランドリーなどに設置される業務用のものではなく、家庭用のものであってもよい。この場合、ガスバーナ２３を用いて衣類の乾燥を行うものに限らず、電気式のヒータを用いて乾燥を行うようなものであってもよい。
【００９３】
また、洗濯乾燥機１は、外槽７からの排気を排気口２８から機外に排出するような開放型の排気風路を有する構成に限らず、乾燥時に外槽７内に供給される空気が機内を循環するような構成であってもよい。
ドラム１０の周面に形成された開口から当該ドラム１０内に衣類を出し入れするような構成に限らず、たとえば、ドラム１０の端面に形成された開口から衣類を出し入れするような構成であってもよい。
【００９４】
上記実施形態では、軸線が略水平方向に延びるように配置されたドラム内に衣類を収容するようなドラム式の洗濯乾燥機１について説明したが、軸線が水平方向に対して所定角度範囲（たとえば、３０°以内）で傾くようにドラムが配置されたドラム式の洗濯乾燥機であってもよいし、ドラム式ではなく、いわゆるパルセータ式の洗濯乾燥機であってもよい。
また、衣類を水や湯で洗濯する水洗式の洗濯乾燥機１に限らず、石油系溶剤を用いて衣類を洗濯するドライクリーニング用の洗濯乾燥機であってもよい。
【００９５】
リントフィルタ６７の清掃に関する発明は、洗濯乾燥機１に限らず、洗濯機能を有しない乾燥機にも適用可能である。また、貨幣投入に基づく運転コースの選択に関する発明は、洗濯乾燥機１に限らず、乾燥機能を有しない洗濯機や、洗濯機能を有しない乾燥機にも適用可能である。
【図面の簡単な説明】
【図１】この発明の一実施形態に係る洗濯乾燥機の外観構成を示す正面図である。
【図２】洗濯乾燥機の縦断面図である。
【図３】洗濯乾燥機の背面図である。
【図４】逆流防止部材の内部構成を示す断面図である。
【図５】洗濯乾燥機の電気的構成を示すブロック図である。
【図６】操作表示パネルの外観構成を示す平面図である。
【図７】貨幣投入口から貨幣の投入があった場合のＣＰＵによる制御内容を示すフローチャートである。
【図８】スタートキーの操作に応じてＣＰＵが行う制御内容を示すフローチャートである。
【図９】洗濯乾燥コース実行時のＣＰＵによる制御内容を示すフローチャートである。
【図１０】この実施形態の変形例に係るリントシャワー運転の実行タイミングを説明するためのフローチャートである。
【図１１】他の実施形態の係る洗濯乾燥機の操作表示パネルの外観構成を示す平面図である。
【図１２】貨幣投入口から貨幣の投入があった場合のＣＰＵによる制御内容を示すフローチャートである。
【符号の説明】
１  洗濯乾燥機
７  外槽
１０  ドラム
１７  排水管
２０  逆流防止部材
２０Ｂ  流入口
２０２  第２逆止弁
２０３  回動軸
２０４  捩じりコイルばね
２０８  保持板
２０９  長孔
２１Ｂ  ファンケーシング
３１  ＣＰＵ
５１１  洗濯コーススタートキー
５１２  乾燥コーススタートキー
５１３  洗濯乾燥コーススタートキー
５４１  少量コースキー
６３  導出風路部材
６４  導出管
６５  送風管
６６  誘導風路部材
６７  リントフィルタ
６８  リントノズル
６８Ｂ  リントノズルバルブ
【図１】
2004261324.tif 000003
【図２】
2004261324.tif 000004
【図３】
2004261324.tif 000005
【図４】
2004261324.tif 000006
【図５】
2004261324.tif 000007
【図６】
2004261324.tif 000008
【図７】
2004261324.tif 000009
【図８】
2004261324.tif 000010
【図９】
2004261324.tif 000011
【図１０】
2004261324.tif 000012
【図１１】
2004261324.tif 000013
【図１２】
2004261324.tif 000014